(57)【要約】【課題】接合相手部品に対する取付工程が１工程で済み接合部の強度を確保できる接合構造とする。また、少なくとも一方の接合部品を構成する厚肉樹脂成形品をひけなどの外観不良を招くことなく成形できるようにする。【解決手段】少なくとも一方が樹脂成形品から成る部品１０と他の部品２３との凹部２６と凸部１３との嵌め合いによって接続する接合構造部において、凸部１３は樹脂成形品１０を成形する際にインサート成形されたインサート部品１１であり、かつインサート部品１１が樹脂成形品１０と他の部品２３の凹部２６とに跨がって占位するようにしている。【選択図】図４
2020062351.tif 000002
【特許請求の範囲】
【請求項１】
少なくとも一方が樹脂成形品から成る部品と他の部品との凹部と凸部との嵌め合いによって接続する接合構造部において、
前記凸部は前記樹脂成形品を成形する際にインサート成形されたインサート部品であり、
前記インサート部品が前記樹脂成形品と前記他の部品の凹部とに跨がって占位する
ことを特徴とする椅子の構成部品同士の接合構造。
【請求項２】
前記インサート部品は、前記樹脂成形品から突出する凸部が前記他の部品の凹部に対応する外形に成形されていることを特徴とする請求項１記載の椅子の構成部品同士の接合構造。
【請求項３】
前記インサート部品はあらかじめ芯棒を樹脂でインサートしたものであることを特徴とする請求項１または２記載の椅子の構成部品同士の接合構造。
【請求項４】
前記芯棒は金属製であることを特徴とする請求項１または２記載の椅子の構成部品同士の接合構造。
【請求項５】
前記インサート部品の前記樹脂成形品内にインサートされる部分の先端部が尖頭形を成すことを特徴とする請求項１から４のいずれか１つに記載の椅子の構成部品同士の接合構造。
【請求項６】
前記樹脂成形品は背凭れであり、前記他の部品は脚パイプであり、前記インサート部品は前記脚パイプの端部の穴に嵌合される凸部を有し、前記背凭れを成形するときに前記凸部を金型の外に出してインサート成形されるものであることを特徴とする請求項１から３５のいずれか１つに記載の椅子の構成部品同士の接合構造。
【請求項７】
前記インサート部品の前記樹脂成形品から突出し前記他の部品の凹部に嵌合する凸部には、外周面に縦筋状のリブが形成され、前記他の部品の凹部に前記リブを介して嵌合されることを特徴とする請求項１から６のいずれか１つに記載の椅子の構成部品同士の接合構造。
【請求項８】
請求項１から７のいずれか１つに記載の椅子の構成部品同士の接合構造を、少なくとも背凭れと背凭れ支持フレーム部とを含む樹脂成形品と金属製パイプから成る後脚パイプとの接合に用いたものである
ことを特徴とする椅子。
【請求項９】
請求項１から７のいずれか１つに記載の椅子の構成部品同士の接合構造を、少なくとも背凭れと背凭れ支持フレーム部とを含む樹脂成形品と金属製パイプから成る後脚パイプとの接合に用いたものであり、
前記樹脂成形品は前記背凭れと前記背凭れ支持フレーム部と肘掛けとが一体的に形成されたものであり、
前記肘掛けの前端側が前記脚パイプの前脚に挿入され、前記背凭れ支持フレーム部が前記脚パイプの後脚にそれぞれ嵌合されて支持されている
ことを特徴とする椅子。
【発明の詳細な説明】
【技術分野】
【０００１】
本発明は、椅子の部品間の接合構造及びそれを利用した椅子に関する。さらに詳述すると、本発明は、少なくとも一方が樹脂成形品から成る部品と他の部品との凹部と凸部との嵌め合いによって接続する椅子の部品間の接合構造及びそれを利用した椅子に関するものである。
【背景技術】
【０００２】
椅子の部品間の接合構造において、少なくとも一方が樹脂成形品から成る部品と他の部品との凹部と凸部との嵌め合いによって椅子の部品同士を接続することがある。例えば、樹脂成形品である肘掛けと金属製パイプで構成される脚フレームとが接続されているものがある（例えば、特許文献１）。
【０００３】
一方が樹脂成形品からなる場合、強度不足を補うために厚肉とする必要があることから、樹脂成形品側の接合部分を金属製パイプの外に嵌まり込むような筒状（鞘状）とし、肘掛けの筒構造の被取付部を脚フレームの上部（取付部）に被せるように嵌合させてからビス止めするものが一般的である。しかし、この接合構造では、そのままでは構造強度が劣るので、金属製パイプと接合相手部品である樹脂製肘掛けとの接合部に金属製の芯材を介在させて脚フレームのパイプと肘掛けとを連結するようにしている。即ち、金属製パイプ側に金属製の芯材を突出させる一方、樹脂成形品である肘掛け側には、金属製芯材が嵌合する小径穴と、小径穴に連続しパイプ材が嵌合する大径穴とを連続的に形成した段付き穴の凹部が形成され、金属製芯材の一部をパイプ材から突出させて肘掛けの小径穴に嵌め込むと共に、パイプ材そのものの端部を大径穴に嵌め込むようにしている。そして、樹脂成形品と金属製芯材並びに金属製芯材を脚パイプに固定するビスとの２箇所のビス止めされている。
【先行技術文献】
【特許文献】
【０００４】
【特許文献１】特開２０１４−２２６３２７号公報
【発明の概要】
【発明が解決しようとする課題】
【０００５】
しかしながら、金属製パイプ側に金属製芯材を突出させて樹脂成形品に対して差し込む構造では、樹脂成形品に肉厚の急激な変化が生ずる部分ができるため、外観不良（ひけ）を起こしやすい問題がある。この問題は、樹脂成形品を厚肉成形品とする場合や接続部分に長いパイプ状の凹部を設ける場合に特に顕著になる。
【０００６】
加えて、樹脂成形品側に金属製芯材を収容する小径穴を形成しなければならないので、細い中子に冷却のための流路を備えなければならず、金型の冷却が困難となるし、冷却不良に起因する外観不良（ひけ）をさらに起こし易くなる問題がある。
【０００７】
また、特許文献１の構造では、樹脂成形品に対して金属製芯材を固定するビスと、樹脂成形品の筒部を金属製芯材と共に脚パイプに固定するビスとの２箇所のビス止めが必要となる。このため、組み立て工数も部品点数も増え、その分だけ作業コスト並びに部品コストがかかる。
【０００８】
本発明は、接合相手部品に対する取付工程が１工程で済み接合部の強度を確保できる椅子の構成部品同士の接合構造を提供することを目的とする。また、本発明は、厚肉樹脂成形品をひけなどの外観不良を招くことなく成形できる椅子の構成部品同士の接合構造を提供することを目的とする。
【課題を解決するための手段】
【０００９】
かかる目的を達成するために請求項１記載の椅子の構成部品同士の接合構造は、少なくとも一方が樹脂成形品から成る部品と他の部品との凹部と凸部との嵌め合いによって接続する接合構造部において、凸部は樹脂成形品を成形する際にインサート成形されたインサート部品であり、かつインサート部品が樹脂成形品と他の部品の凹部とに跨がって占位するようにしている。
【００１０】
ここで、樹脂成形品から突出する凸部が他の部品の凹部に対応する外形に成形されていることが好ましい。また、インサート部品はあらかじめ芯棒を樹脂でインサートしたものであることが好ましく、より好ましくは芯棒が金属製であることである。また、インサート部品は樹脂成形品内にインサートされる部分の先端部が尖頭形を成すことが好ましい。
【００１１】
また、樹脂成形品は背凭れであり、他の部品は脚フレームであり、インサート部品は脚フレームの端部の穴に嵌合される凸部を有し、背凭れを成形するときに凸部を金型の外に出してインサート成形されるものであることが好ましい。
【００１２】
また、インサート部品の樹脂成形品から突出し他の部品の凹部に嵌合する凸部には、外周面に縦筋状のリブが形成され、他の部品の凹部にリブを介して嵌合されることが好ましい。
【００１３】
さらに本発明の椅子は、請求項１から７のいずれか１つに記載の椅子の構成部品同士の接合構造を、少なくとも背凭れと背凭れ支持フレーム部とを含む樹脂成形品と金属製パイプから成る後脚パイプとの接合に用いたものである。
【００１４】
また、本発明の椅子は、請求項１から７のいずれか１つに記載の椅子の構成部品同士の接合構造を、少なくとも背凭れと背凭れ支持フレーム部とを含む樹脂成形品と金属製パイプから成る後脚パイプとの接合に用いたものであり、樹脂成形品は背凭れと背凭れ支持フレーム部と肘掛けとが一体的に形成されたものであり、肘掛けの前端側が脚パイプの前脚に挿入され、背凭れ支持フレーム部が脚パイプの後脚にそれぞれ嵌合されて支持されているものである。
【発明の効果】
【００１５】
請求項１記載の椅子の構成部品同士の接合構造では、樹脂成形品と接合相手部品（即ち、他の部品）との間に跨がってインサート部品が占位するため、これが補強となって、接合強度が確保される。同時に、樹脂成形品と接合相手部品との間に跨がってインサート部品が占位するため、これが補強となって、接合相手部品の構造剛性も高くすることができる。したがって、一定の取り付けの強度を確保しつつ各部の外径寸法を小径化するのに適している。例えば、細径パイプで脚フレームをつくる場合にも十分な構造強度が確保できる。
【００１６】
しかも、樹脂成形品のインサート成形時にインサート部品が配置されることによって中空部が存在しないため、樹脂成形品側の接合部は中実でありかつ急激な肉厚の変化が起こらないため、外観不良（ひけ）が起こり難い。
【００１７】
インサート成形の際に、樹脂成形品とインサート部品とが一体化されるため、インサート部品の樹脂成形品から突出する凸部を接合相手部品の凹部に嵌合させて固定させるだけの作業で接合が完了するので、部品点数が少なくなると共に組立工程も半減する。
【００１８】
また、インサート部品の樹脂成形品内にインサートされる部分の先端部が尖頭形を成す場合には、樹脂成形品の肉厚が漸次変化するため、インサート成形時にひけが起き難い。特に、丸棒で樹脂成形品の接合部位が形成される場合には、本来肉厚であるためひけを起こし易いが、インサート部品の尖頭形先端部において肉厚が漸次変化するため、ひけが起こり難い。
【図面の簡単な説明】
【００１９】
【図１】本発明にかかる椅子の部品間の接合構造をスタッキング椅子に適用した一実施形態を示す斜視図である。
【図２】樹脂成形品の一実施形態を示す図で、背凭れ、背凭れ支持フレーム部及び肘掛け部を一体化した場合の斜視図である。
【図３】脚フレームの一実施形態を示す斜視図である。
【図４】樹脂成形品と脚フレームとインサート部品との関係を示す正面説明図で、樹脂成形品と脚フレームとは透明化して示す。
【図５】樹脂成形品からインサート部品を取り外した状態を説明する右側面図で、樹脂成形品の背凭れ支持フレーム部を断面し、インサート部品を破線で示している。
【図６】インサート部品の一実施形態を示す斜視図である。
【図７】図６のインサート部品の部分断面図である。
【発明を実施するための形態】
【００２０】
以下、本発明の構成を図面に示す実施形態に基づいて詳細に説明する。
【００２１】
図１に本発明の椅子の部品間の接合構造をスタッキング椅子に適用した一実施形態を示す。この実施形態にかかる椅子は、跳ね上げ式の座１と、背凭れ２と、肘掛け３並びにこれらを支持する細径の金属製パイプから成る脚フレーム（以下、脚パイプと呼ぶ）４とで構成されている。この椅子は、水平方向にスタッキング可能な椅子（ネスティング椅子とも呼ばれる）として構成され、キャスター５を備える移動可能なものとして、例えば、オフィスや一般的な会議室、或いは、高齢者の多い施設等において好適に使用される。
【００２２】
本実施形態において、肘掛け３及び背凭れ２は、図２に示すように、樹脂例えばポリプロピレン（ＰＰ）などによって一体に形成されている。即ち、本実施形態においては、肘掛け３及び背凭れ２で一つの樹脂成形品１０を構成している。
【００２３】
具体的には、背凭れ２は、着座者の背中を支える背板部７と、その周縁部を囲うフレーム材としての縁部６と、後脚パイプ２３に取り付けられるための背凭れ支持フレーム部８と、後脚パイプ２３の凹部２６に差し込まれる凸部１３とで構成されている。即ち、背凭れ２は、背板７が棒状物状の厚肉の縁部６で縁取りされ、左右の後脚パイプ２３に接続させられる背凭れ支持フレーム部８と連続的に形成されて、あたかも脚パイプ４が背板７の周りを囲むかのように延びるデザインとされているが、本発明はこのようなデザインに限定されるものではない。
【００２４】
背凭れ２は、本実施形態の場合、背板部７が僅かに後傾し、かつ平面視において中央部が後方に向かって凸となるように湾曲した板である。背板部７は、本実施形態の場合、クッション材や上張地を被せずにそのままの状態で使用に供されるものであり、所謂ヌードタイプと呼ばれるものであり、背カバーなどを取り付けない場合であっても商品として成立する外観に影響を与えないデザインとされている。
【００２５】
他方、肘掛け３は、本実施形態の場合、前後方向に延びる棒状物によって構成されており、肘が掛けられる中程の部分が椅子の幅方向外側に膨出するように湾曲させられ、後端側が内向きに折れ曲がって背凭れ支持フレーム部８に連結される一方、前端側が内向きに折れ曲がってからさらに下向きに折れ曲がることで前脚パイプ２２と同軸上で嵌まり込むように設けられている。即ち、肘掛け３は、背板７の周縁を囲う厚肉の縁部６と背凭れ支持フレーム部８との境界部分に後端が合流されて負荷が集中し易い屈曲部分に樹脂の肉厚部分が配置されると共に、前端には前脚パイプ２２の管端である嵌合受口２７と嵌合する嵌合凸部９が一体的に形成されている。これによって、肘掛け３は、前に向かって幅方向外側に膨れ出るカーブを描きながら前脚パイプ２２に流れ落ちるように接続される美しいフォルムを形成する。尚、嵌合凸部９は、嵌合受口２７に挿入される部分に縦筋のようにリブが形成されており、該リブによって相手部品である前脚パイプの穴に隙間無く、がたつき無く嵌合される。
【００２６】
このような構成の肘掛け３は、着座者がどのような体格であっても肘掛けの機能を有効に使うことができるものとなるとともに、着座者が立ち上がる際の補助的機能を有効に発揮するものとなる。
【００２７】
これにより、背凭れ２と肘掛け３とを一体成形した樹脂成形品１０は、前脚パイプ２２と後脚パイプ２３にそれぞれ前後端の凸部９，１３が嵌合されることでそれぞれ接合されて支持され、背板７への荷重とともに肘掛け３への荷重が集約される態様においても、構造物として必要とされる十分な強度を発揮するものである。
【００２８】
ここで、背凭れ支持フレーム部８から突出する凸部１３は、本実施形態の場合、脚パイプ２３の穴（凹部２６）に挿入される軸部であり、インサート部品１１を樹脂成形品１０の成形時にインサート成形することにより、一体的に成形されている。本実施形態の場合、インサート部品１１は、芯棒１９を樹脂でインサートしたものが採用されている。ここで、芯棒１９は、金属製例えば鉄棒であっても良いし、それに匹敵するような高強度樹脂例えばガラス強化ポリプロピレン製であっても良い。芯棒１９を樹脂製とする場合には、特定の樹脂に限定されるものではないが、周囲を覆う樹脂２０よりも剛性が高いものであれば十分である。周囲の樹脂２０が接合相手部品の凹部に嵌合し易い柔らかい樹脂例えばポリプロピレンあるいは芯棒よりも柔らかいガラス繊維入りポリプロピレンが用いられているのに対し、芯棒の樹脂は構造強度を保つため剛性の高い樹脂例えばガラス強化ポリプロピレンの使用が好ましい。例えば鉄棒１９を合成樹脂２０例えばガラス繊維入りポリプロピレンあるいはプリプロピレン等で覆うようにインサート成形することで、所望の外形を有する樹脂２０と金属芯棒１９とが一体化されたインサート部品１１から得られる。そして、このインサート部品１１をさらに背凭れ２を含む樹脂成形品１０の射出成形型のキャビティ内の所定位置に配置してインサート成形することで、インサート部品１１を一体化した樹脂成形品１０を製作するようにしている。つまり、２段階インサート成形を行うことにより、インサート部品１１の凸部１３を有する樹脂成形品１０を得るようにしている。尚、本実施形態では、インサート部品１１は、予めインサート成形により芯棒１９を樹脂でインサートしたものとされているが、これに特に限られず、例えば樹脂成形品１０と親和性の良いガラス強化ポリプロピレンのような高強度樹脂のみで成形されたものとしても良い。
【００２９】
インサート部品１１は、特定の形状に限定されるものではなく、任意の外形状を成すことができる。例えば、本実施形態の場合、インサート部品１１は、樹脂成形品１０のインサート成形時に図示していないキャビティ内（換言すれば樹脂成形品１０内）に占位する部分１２の先端部２１が尖頭部を成すペンシル型とされている。尖頭端部とすることで、インサート成形時の樹脂成形品の肉厚が漸次変化するように（急な肉厚の変化を抑える）配慮ができ、ひけの発生を抑えることができる（樹脂成形の際の外観品質を確保することができる。）。勿論、樹脂成形品の肉厚が漸次変化するように急な肉厚の変化を抑えるものであれば、前述の尖頭端部に限られるものではない。
【００３０】
インサート部品１１の樹脂成形品１０の外に突出した凸部・軸部１３と接合相手部品たる脚パイプ２３との固定は、圧入などによる摩擦固着力によっても可能であるが、好ましくは機械的固定手段によることである。例えば、凸部・軸部１３の樹脂部分に、径方向に貫通する孔１６あるいはねじ孔１７をあけて、図示していない脚パイプ２３の貫通孔を貫通させてスプリングピンあるいは締結ねじを装着可能とすることで、インサート部品１１の軸部１３を脚パイプ２３に固定するように設けても良い。
【００３１】
ペンシル型インサート部品１１は、係着力を強化するための穴や凹部、突起や鍔などが必要に応じて設けられる。例えば、本実施形態では、樹脂成形品１０内に埋没される部分１２に樹脂が流入する穴１５が設けられている。これによって、インサート成形の際に、樹脂が穴１５内に流れ込んで引っ掛かりとなる部分を形成することとなる。尚、樹脂成形品１０内に埋没される部分１２と外に突出する部分（軸部）１３との境界には、環状の鍔１８が形成されている。この鍔１８を図示していないキャビティの外に配置して型締めすることでインサート成形時の位置決めを可能としている。
【００３２】
インサート部品１１によって凸部・軸部１３を形成することによって、接合相手部品の凹部（例えば後脚パイプ２３の穴２６）との嵌合性を高め得る。つまり、樹脂成形により接合相手部品と嵌合する部分の形状や寸法などを自由に調整できるので、接合相手部品の形状との組み合わせの自由度が高くなる。また、樹脂成形品の外に突出する部分１３の径や形状を自由に調整（つまり、設計）できるので、接合相手部品の嵌合凹部の状況に応じて適宜形状を作り出してがたつきのない接合を可能とすることが容易にできる。例えば、接合相手部品の穴形状に応じて、自在に形状を変化させ得る。つまり、インサート部品は径を自由に変更できるので相手部品の凹部との嵌合状態を調整し易い。
【００３３】
また、樹脂成形品１０の外に突出するインサート部品１１の凸部（例えば軸部）１３の表面が樹脂２０で覆われているので、必要な形状に容易に成形できると共に圧入嵌合時の変形や滑りも比較的容易であることから、接合相手部材たる脚パイプ２３との嵌合を調整可能である。例えば、樹脂表面に図６に示すような縦筋状のリブ１４を形成すれば、このリブ１４の山部分が軽く潰れたり、あるいは脚パイプ２３の嵌合凹部（穴）の内周面と隙間無く接することにより、パイプの穴に嵌め込み易く、差し込んだときのがたつきを防止できると共に、差し込みの強度をもたせることができる。
【００３４】
他方、接合相手部品となる脚フレーム４は、例えば金属製パイプ材によって構成されており、前脚パイプ２２と、後脚パイプ２３と、これら前脚パイプ２２と後脚パイプ２３とを相互に連結させると共に座１を支える連結杆２４，２５とを備え、溶接によって一体化されている。座受部は、前脚パイプ２２と後脚パイプ２３とを連結する一対の縦連結杆２４と、一対の縦連結杆２４同士を連結すると共に座１を支える前後一対の横連結杆２５とで構成されている。前脚パイプ２２と後脚パイプ２３とは前後方向に延びる縦連結杆２４と、左右一対の縦連結杆２４同士を連結する横連結杆２５とで、前後左右に連結されて一体化されている。横連結杆２５は座１の座板（図示省略）を揺動自在に支持して翻転軸として機能する後方フレームと、座１の前方で座板を受け支え支持する前方フレームとで構成されている。横連結杆２５は、本実施形態の場合、座フレームの形状に対応させて縦連結杆２４よりも低い位置で座１を支持するように中央部分が凹んだ形状とされている。また、左右一対の後脚パイプ２３の間及び座１の後端側寄りの部分は、前脚パイプ２２及び座１の前端側寄りの部分よりも狭く形成され、他の椅子の前脚パイプの間に水平スタッキング可能なクリアランスを発生させるように配慮されている。
【００３５】
本実施形態の場合、脚パイプ４は、後脚パイプ２３と前脚パイプ２２とでは高さを異にしており、前脚パイプ２２側が高く、後脚パイプ２３側が前脚パイプ２２よりも低く形成されている。後脚パイプ２３は肘掛け３よりも低い位置まで延びる背凭れ支持フレーム部８と接合されるため、低く形成されている。他方、前脚パイプ２２は、肘掛け３の前端側の折れ曲がった取付部（凸部９）が嵌合されるため、折れ曲がり部に近い位置即ち高い位置で受け止めるように構成されている。勿論、前脚パイプ２２と後脚パイプ２３との高さ関係は本発明の本質とは無関係であり、同じ高さでもあるいは前脚パイプ２２よりも後脚パイプ２３側が高い関係にあっても良い。また、肘掛け３を構成する水平フレーム部分も座１の高さとの関係で肘高さが定まるため、本実施形態の場合には、背凭れ２の屈曲する背凭れ支持フレーム８の付け根部分から延びるように成形されているが、これに特に限られるものではなく、場合によっては背凭れ支持フレーム８と交差するように形成しても良いし、背凭れ２の側方の縁部６と交差するように形成されても良い。
【００３６】
さらに、後脚パイプ２３は、背凭れ支持フレーム８と同じ角度、例えば床面等の水平面に対して側面視で７０〜８０°の範囲で僅かに前傾している。そして、後脚パイプ２３の上端の少なくともインサート部品１１の凸部（軸部）１３が嵌め込まれる範囲においては、背凭れ支持フレーム８の下端から突出するインサート部品１１の凸部（軸部）１３が嵌め込まれる開口部（即ち接合相手部品の凹部）２６が直線的に形成されると共に塞がれること無く、開口されたままとされている。
【００３７】
上述の実施形態の背凭れ２と脚フレーム４との接合構造によれば、背凭れの両側の背凭れ支持フレーム部８の下端から突出する凸部・軸部１３と、肘掛け３の先端の凸部９とを、後脚パイプ２３の穴２６及び前脚パイプ２２の穴２７にそれぞれ挿入した後、例えばビス止めすることで固定される。即ち、後脚パイプ２３の嵌合受口・凹部２６に、樹脂成形品１０の凸部・軸部１３を嵌合し、嵌合凹部２６の孔（図示省略）を通過させた締結用ねじあるいはスプリングピンを凸部・軸部１３に形成されたねじ孔１７あるいは貫通孔１６に螺合あるいは装着することで両者を固定することができる。
【００３８】
この場合、インサート成形時にインサート部品１１は樹脂成形品１０に埋め込まれて一体化されるため、接合相手部品に対する固定のための手段例えばビスなどが不要となる。つまり、本実施形態では、片側のビス止め即ち金属製パイプに嵌合される凸部１３の固定だけで接合を完了できる。樹脂成形品１０から突出する凸部・軸部１３を脚パイプ２３に挿入して固定するだけであり、ビス及びビス止めの工程が半減する。すなわち、嵌合凹部に突出部分を内嵌させ、両者を締結するだけで、例えば突出部分のねじ孔にねじを螺着するだけであるので、組立性に優れたものとなる。
【００３９】
また、芯棒１９が含まれるインサート部品１１を背凭れ支持フレーム部８に突出させてインサート成形により一体化した樹脂成形品１０は、背凭れ支持フレーム部８の外径を太くせずに細くしたまま、構造強度が確保される。同時に、接合相手部品である後脚パイプ２３の凹部２６にも金属製芯棒１９が含まれるインサート部品１１の凸部・軸部１３が嵌合されることで、樹脂成形品１０と後脚パイプ２３の双方に跨がって芯棒１９が差し込まれるため、接合強度が確保される。このため、樹脂成形品１０の背凭れ支持フレーム部８の外径が後脚パイプ２３の直径と同一径のまま、即ち背凭れ支持フレーム部８を後脚パイプ２３に対して面一にして、接合することができる。即ち、接合部における樹脂成形品と相手部材との外形が同一外径あるいは同一外形とすることも容易に可能であり、意匠性を向上させるための設計の自由度を高くすることができる。勿論、接合部における取付部のパイプ材の外周面と被取付部の外周面とを突き合わせ接合面において同一外形状・外径（つまり、面一）に形成するものに限らなくても良い。
【００４０】
また、インサート部品１１の芯棒１９が樹脂成形品１０と接合相手部品である後脚パイプ２３の凹部２６とに跨がって占位するため、即ち樹脂成形品１０と後脚パイプ２３の双方に跨がって芯棒１９が差し込まれるため、接合強度が確保される。同時に、樹脂成形品１０と接合相手部品である脚パイプ２３との間に跨がってインサート部品１１の中の芯棒１９が占位するため、これが補強となって、脚パイプ２３の構造剛性を高くすることができる。
【００４１】
さらに、インサート部品１１の芯棒１９が後脚パイプ２３の縦連結杆２４が接合（溶接）される部分にまで達するようにすれば、後脚パイプ２３と縦連結杆２４との溶接部分の補強がされる。このため、細径パイプで脚フレームをつくる場合にも十分な構造強度が確保できる。
【００４２】
したがって、本実施形態の接合構造は、構造強度並びに接合強度が確保されるため、一定の取り付けの強度を確保しつつ各部の外径寸法を小径化するのに適している。脚フレームは、軽量化やデザイン上の観点から、細径のパイプが好まれるが、従来の支持フレームの取付部と肘掛けの被取付部は、取り付けの強度を確保する必要から、それぞれの外径寸法が比較的大きくならざるを得ないという一面があった。また、筒構造を樹脂成型する場合には冷却不良に起因する外観不良（ひけ）を起こしやすい問題があることから、樹脂成形品側に筒状の長い凹部を形成する場合には、厚肉に形成せざるを得ない。このため、樹脂成形品側に厚肉の筒部（凹部）を設けて脚フレームに嵌まり込む形態を採らざるを得ないことから、細径のパイプと樹脂成形品とを接合する際に、接合部分を面一に構成すること、即ち同じ外径あるいは同じ外形とすることは、容易ではなかった。
本実施形態の接合構造は、上述の要望を簡易な構造で実現することができる。
【００４３】
また、樹脂成形品１０のインサート成形の際に、インサート部品１１の存在で背凭れ支持フレーム部８が無垢状態となるので冷却が不要となる。依って、金型の冷却不良に起因する背凭れ支持フレーム部８のひけなどの外観不良を起こすことがない。さらに、樹脂成形品のインサート成形時にインサート部品が配置されることによって中空部が存在しないため、樹脂成形品に肉厚の急激な変化が生ずる部分ができない。このため、外観不良（ひけ）を起こし難い。特に、本実施形態の背凭れの場合、背板部７の周りの縁部（底辺を除く、左右両側辺及び上辺）６が中実の丸棒で縁取り（形成）されているため、急に肉薄の部分を形成すると、ひけを起こし易い構造であるが、インサート部品１１が配置され、尚且つ境界に相当する部分が尖頭形状とされることで漸次肉厚が変化するため、長い棒・背凭れ支持フレーム部分の外観にひけ（sink）をつくらずにインサート成形することができる。
【００４４】
本実施形態にかかる接合構造は、少なくとも一方が樹脂成形品であれば、他方は金属成形品でも樹脂成形品でも良い。また、インサート部品の一部が樹脂成形品の外に出っ張っていて、それを相手部材の凹部に差し込む構造であれば良い。出っ張っている部分の外形状は樹脂成形品によって形成されるので、相手部材の凹部に合わせた形状に自由に成形できる。したがって、どのような端部開口形状の部品であっても、接合可能である。
【００４５】
なお、上述の形態は本発明の好適な形態の一例ではあるがこれに限定されるものではなく本発明の要旨を逸脱しない範囲において種々変形実施可能である。例えば、上述した実施形態では、水平方向にスタッキング可能な椅子（ネスティング椅子とも呼ばれる）に適用した例を挙げて主に説明しているが、必ずしもスタッキング可能な椅子である必要はなく、他の構造の椅子に適用するようにしても良い。
【００４６】
また、上述の実施形態では、背凭れ２と脚パイプ２３との間の連結構造に適用した例を挙げて説明したが、これに特に限られるものではなく、例えば座１または肘掛け３などの樹脂成形品についても適用できる。即ち、座１と脚パイプ２２，２３との連結構造、あるいは肘掛け３と脚パイプ２２若しくは背凭れ支持フレーム部８との間の連結構造などにも適用できることは言うまでもない。例えば、図示していないが、座と脚パイプとの接合に適用する場合には、座を構成する座枠の四隅、即ち脚パイプと対向する部分（支持箇所）に脚パイプに向けて突出する凸部をインサート成形で設け、座を直接脚パイプに連結させて支持させる構造とすることもできる。要は、インサート部品の一部が脚部に嵌合されるように突出し、一部が座枠内にインサート成形により一体化して埋没するものであれば良い。また、上述した実施形態では、取付部が背凭れに設けられたものとして説明したが、これに限定されるものではなく、背凭れとは独立した肘掛けの端部に備えるようにしても良い。
【００４７】
また、本実施形態では、樹脂成形品と金属製の接合相手部品例えばパイプとの接合を例に挙げているが、これに特に限定されるものではなく、樹脂成形品と樹脂製の接合相手部品例えばパイプとの接合にも適用できるし、接合相手部品はパイプに限られない。
【００４８】
また、本実施形態の背凭れ支持フレーム部と後脚パイプ２３との接合構造は、接合面が面一となるとして構成した例を挙げて説明しているが、これに限定されるものではなく、樹脂成形品１０の凸部１３の周囲が接合相手部品に覆い被さるように嵌め込まれる構造、例えば特許文献１に示すような肘掛けと脚パイプとの嵌合関係となるような接合構造でも適用できることは言うまでもない。
【００４９】
また、上述した実施形態では、他方の椅子の部品の被取付部がパイプ状の真円の凹部であり、これに嵌合される一方の椅子の部品の取付部即ち背凭れ支持フレームから突出する凸部が円形の棒状物である組み合わせの例を挙げて主に説明したが、これに限定されるものではなく、少なくとも取付部の突出部分が内嵌される嵌合凹部を備えた組み合わせであれば良い。即ち、被取付部である凹部は、真円のパイプに限られず、楕円形のパイプでも、角パイプや任意の形状の穴・凹部であっても良い。一方の椅子の部品の取付部即ち背凭れ支持フレームから突出する凸部は、樹脂成形品であるので、相手部材の凹部形状に合わせた形状、例えば楕円形であってり、角棒状であったり、あるいは任意の形状の非棒状物であっても自由に成形することができる。
【符号の説明】
【００５０】
２  背凭れ
３  肘掛け
４  脚フレーム
８  背凭れ支持フレーム部
１０  樹脂成形品
１１  インサート部品
１２  インサート部品の樹脂成形品に埋没する部分
１３  インサート部品の樹脂成形品から突出する部分（凸部・軸部）
２１  インサート部品の樹脂成形品内にインサートされる部分の尖頭形の先端部
１９  芯棒
２３  後脚パイプ（接合相手部品）
２６  接合相手部品の凹部（穴）
【図１】
2020062351.tif 000003
【図２】
2020062351.tif 000004
【図３】
2020062351.tif 000005
【図４】
2020062351.tif 000006
【図５】
2020062351.tif 000007
【図６】
2020062351.tif 000008
【図７】
2020062351.tif 000009